(57)【要約】【課題】計画的に基地局装置が設置されない場合であっても、周辺の基地局装置に関する情報を生成したい。【解決手段】受付部２８は、端末装置からのハンドオーバの要求を受けつける。ハンドオーバ処理部３０は、要求を受けつけた端末装置に対して、ハンドオーバ処理を実行する。無線部２０は、ハンドオーバ処理を実行した端末装置との通信を実行する。受付部２８は、要求とともに、ハンドオーバ元の基地局装置に関する情報も受けつける。生成部３２は、受けつけた情報をもとに、周辺の基地局装置に関する情報のデータベースを生成する。無線部２０は、通信を実行している端末装置へ、生成したデータベースを送信する。【選択図】図４
2009152677.tif 000002
【特許請求の範囲】
【請求項１】
端末装置からのハンドオーバの要求を受けつける受付部と、
前記受付部において要求を受けつけた端末装置に対して、ハンドオーバ処理を実行する処理部と、
前記処理部においてハンドオーバ処理を実行した端末装置との通信を実行する通信部とを備え、
前記受付部は、要求とともに、ハンドオーバ元の基地局装置に関する情報も受けつけ、
前記処理部は、前記受付部において受けつけた情報をもとに、周辺の基地局装置に関する情報のデータベースを生成し、
前記通信部は、通信を実行している端末装置へ、前記処理部において生成したデータベースを送信することを特徴とする基地局装置。
【請求項２】
前記通信部は、前記処理部において生成したデータベースに含まれた基地局装置へ、通信を実行している端末装置に関する情報を送信することを特徴とする請求項１に記載の基地局装置。
【請求項３】
ハンドオーバ先の基地局装置へハンドオーバを要求する要求部と、
前記要求部においてハンドオーバを要求したハンドオーバ先の基地局装置とのハンドオーバ処理を実行する処理部と、
前記処理部においてハンドオーバ処理を実行したハンドオーバ先の基地局装置との通信を実行する通信部とを備え、
前記通信部は、ハンドオーバ先の基地局装置との通信の前に、ハンドオーバ元の基地局装置との通信を実行しており、ハンドオーバ元の基地局装置に関する情報を生成する手段と、ハンドオーバ元の基地局装置との通信を実行している際に、当該ハンドオーバ元の基地局装置において生成された周辺の基地局装置に関する情報のデータベースを受けつける手段とを備え、
前記要求部は、要求とともに、前記通信部において生成したハンドオーバ元の基地局装置に関する情報をハンドオーバ先の基地局装置へ送信し、
前記処理部は、ハンドオーバ先の基地局装置とのハンドオーバ処理を実行する際に、前記通信部において受けつけたデータベースに含まれた情報を使用することを特徴とする端末装置。
【請求項４】
端末装置からのハンドオーバの要求を受けつけるステップと、
要求を受けつけた端末装置に対して、ハンドオーバ処理を実行するステップと、
ハンドオーバ処理を実行した端末装置との通信を実行するステップとを備え、
前記受けつけるステップは、要求とともに、ハンドオーバ元の基地局装置に関する情報も受けつけ、
前記ハンドオーバ処理を実行するステップは、受けつけた情報をもとに、周辺の基地局装置に関する情報のデータベースを生成し、
前記通信を実行するステップは、通信を実行している端末装置へ、生成したデータベースを送信することを特徴とするハンドオーバの制御方法。
【請求項５】
ハンドオーバ元の基地局装置との通信を実行し、ハンドオーバ元の基地局装置に関する情報を生成するステップと、
ハンドオーバ元の基地局装置との通信を実行している際に、当該ハンドオーバ元の基地局装置のおいて生成された周辺の基地局装置に関する情報のデータベースを受けつけるステップと、
ハンドオーバ先の基地局装置へハンドオーバを要求するステップと、
受けつけたデータベースに含まれた情報を使用しながら、ハンドオーバを要求したハンドオーバ先の基地局装置とのハンドオーバ処理を実行するステップと、
生成したハンドオーバ元の基地局装置に関する情報をハンドオーバ先の基地局装置へ送信するステップと、
ハンドオーバ処理を実行したハンドオーバ先の基地局装置との通信を実行するステップと、
を備えることを特徴とするハンドオーバの制御方法。
【発明の詳細な説明】
【技術分野】
【０００１】
本発明は、ハンドオーバの制御技術に関し、特に移動元の基地局装置から移動先の基地局装置へ接続を切りかえるハンドオーバの制御方法およびそれを利用した基地局装置、端末装置に関する。
【背景技術】
【０００２】
無線通信システムでは、基地局装置によって形成される無線ゾーン内において、当該基地局装置に端末装置が接続する。端末装置が移動することによって無線ゾーンを横切った場合、端末装置と基地局装置との通信が不可能になる。このような場合においても、通信を可能にするための技術がハンドオーバである。ハンドオーバでは、端末装置が無線ゾーンから別の無線ゾーンへ移動した場合、端末装置と接続している基地局装置が、元の無線ゾーンを形成している基地局装置から、別の無線ゾーンを形成している基地局装置へ切りかわる（例えば、特許文献１参照）。
【特許文献１】特開２００３−１５３３２７号公報
【発明の開示】
【発明が解決しようとする課題】
【０００３】
ユーザの利便性を向上するために、ハンドオーバの処理期間の短縮が望まれる。ハンドオーバの処理期間を短縮するために、端末装置が通信している基地局装置（以下、「移動元基地局装置」という）から、端末装置へ、周辺の基地局装置に関する情報が送信される。また、端末装置は、受けつけた情報を使用しながら、別の基地局装置（以下、「移動先基地局装置」という）へのハンドオーバ処理を実行する。計画的に基地局装置が設置されている場合、移動元基地局装置は、周辺の基地局装置を把握できる。しかしながら、計画的に基地局装置が設置されていない場合、移動元基地局装置は、周辺の基地局装置を把握できず、周辺の基地局装置に関する情報を生成できない。そのため、端末装置は、ハンドオーバの際に、周辺の基地局装置に関する情報を使用できない。
【０００４】
本発明はこうした状況に鑑みてなされたものであり、その目的は、計画的に基地局装置が設置されない場合であっても、周辺の基地局装置に関する情報を生成する通信技術を提供することにある。
【課題を解決するための手段】
【０００５】
上記課題を解決するために、本発明のある態様の基地局装置は、端末装置からのハンドオーバの要求を受けつける受付部と、受付部において要求を受けつけた端末装置に対して、ハンドオーバ処理を実行する処理部と、処理部においてハンドオーバ処理を実行した端末装置との通信を実行する通信部とを備える。受付部は、要求とともに、ハンドオーバ元の基地局装置に関する情報も受けつけ、処理部は、受付部において受けつけた情報をもとに、周辺の基地局装置に関する情報のデータベースを生成し、通信部は、通信を実行している端末装置へ、処理部において生成したデータベースを送信する。
【０００６】
本発明の別の態様は、端末装置である。この装置は、ハンドオーバ先の基地局装置へハンドオーバを要求する要求部と、要求部においてハンドオーバを要求したハンドオーバ先の基地局装置とのハンドオーバ処理を実行する処理部と、処理部においてハンドオーバ処理を実行したハンドオーバ先の基地局装置との通信を実行する通信部とを備える。通信部は、ハンドオーバ先の基地局装置との通信の前に、ハンドオーバ元の基地局装置との通信を実行しており、ハンドオーバ元の基地局装置に関する情報を生成する手段と、ハンドオーバ元の基地局装置との通信を実行している際に、当該ハンドオーバ元の基地局装置において生成された周辺の基地局装置に関する情報のデータベースを受けつける手段とを備える。要求部は、要求とともに、通信部において生成したハンドオーバ元の基地局装置に関する情報をハンドオーバ先の基地局装置へ送信し、処理部は、ハンドオーバ先の基地局装置とのハンドオーバ処理を実行する際に、通信部において受けつけたデータベースに含まれた情報を使用する。
【０００７】
本発明のさらに別の態様は、ハンドオーバの制御方法である。この方法は、端末装置からのハンドオーバの要求を受けつけるステップと、要求を受けつけた端末装置に対して、ハンドオーバ処理を実行するステップと、ハンドオーバ処理を実行した端末装置との通信を実行するステップとを備える。受けつけるステップは、要求とともに、ハンドオーバ元の基地局装置に関する情報も受けつけ、ハンドオーバ処理を実行するステップは、受けつけた情報をもとに、周辺の基地局装置に関する情報のデータベースを生成し、通信を実行するステップは、通信を実行している端末装置へ、生成したデータベースを送信する。
【０００８】
本発明のさらに別の態様もまた、ハンドオーバの制御方法である。この方法は、ハンドオーバ元の基地局装置との通信を実行し、ハンドオーバ元の基地局装置に関する情報を生成するステップと、ハンドオーバ元の基地局装置との通信を実行している際に、当該ハンドオーバ元の基地局装置のおいて生成された周辺の基地局装置に関する情報のデータベースを受けつけるステップと、ハンドオーバ先の基地局装置へハンドオーバを要求するステップと、受けつけたデータベースに含まれた情報を使用しながら、ハンドオーバを要求したハンドオーバ先の基地局装置とのハンドオーバ処理を実行するステップと、生成したハンドオーバ元の基地局装置に関する情報をハンドオーバ先の基地局装置へ送信するステップと、ハンドオーバ処理を実行したハンドオーバ先の基地局装置との通信を実行するステップと、を備える。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、計画的に基地局装置が設置されない場合であっても、周辺の基地局装置に関する情報を生成できる。
【発明を実施するための最良の形態】
【００１１】
本発明を具体的に説明する前に、まず概要を述べる。本発明の実施例は、ＰＡＣ（Ｐａｇｉｎｇ  Ａｒｅａ  Ｃｏｎｔｒｏｌｌｅｒ）、複数の基地局装置、端末装置によって構成される通信システムに関する。端末装置は、複数の基地局装置のうちのいずれか（以下、「移動元基地局装置」という）に接続されており、ＰＡＣは、一端に複数の基地局装置を接続し、他端にネットワークを接続する。ＰＡＣは、複数の基地局装置のうち移動元基地局装置を介して、端末装置との通信を実行する。端末装置は、移動元基地局装置の無線ゾーンから別の基地局装置（以下、「移動先基地局装置」という）の無線ゾーンへ移動する。その際、通信システムはハンドオーバを実行する。
【００１２】
つまり、端末装置は、移動元基地局装置との通信を切断した後に、移動先基地局装置との通信を開始する。また、移動元基地局装置あるいは移動先基地局装置からの通知をもとに、ＰＡＣは、移動元基地局装置から移動先基地局装置へ、端末装置へのデータの送信先および端末装置からのデータの受信を切りかえる。このようなハンドオーバにおいて、端末装置には通信できない期間が存在する。ユーザの利便性を向上するために、通信できない期間は短い方が好ましい。そのため、例えば、移動元基地局装置は、周囲に設置された基地局装置に関する情報を保持し、端末装置へ情報を送信する。
【００１３】
端末装置は、移動先基地局装置と通信をする際に、受けつけた情報を使用することによって、移動先基地局装置とのハンドオーバ処理の期間を短縮する。このような処理を実現するための前提条件は、移動先基地局装置が周囲に設置された基地局装置を予め認識していることである。そのためには、基地局装置が計画的に設置されていることが要求される。しかしながら、基地局装置が計画的に設置されない場合もあり、そのときでもハンドオーバ処理の期間の短縮が望まれる。これに対応するために、本実施例に係る通信システムは以下の処理を実行する。
【００１４】
端末装置は、移動元基地局装置の前に接続していた基地局装置の情報（以下、「基地局情報」という）を移動元基地局装置へ送信する。移動元基地局装置は、各端末装置から、基地局情報を集約することによって、周囲に配置された基地局装置に関する基地局情報のデータベース（以下、単に「データベース」という）を生成する。また、移動元基地局装置は、端末装置へデータベースを送信し、端末装置は、移動先基地局装置とのハンドオーバ処理にデータベースを使用する。移動先基地局装置は、一般的に、移動元基地局装置の周辺に設置されているので、移動元基地局装置によって生成されたデータベースに、移動先基地局装置に関する情報が含まれていると予想される。そのため、基地局装置が計画的に配置されていない場合でも、移動元基地局装置は、移動先基地局装置に関する情報を端末装置に供給できる。
【００１５】
図１は、本発明の実施例に係る通信システム１００の構成を示す。通信システム１００は、端末装置１０、基地局装置１２と総称される第１基地局装置１２ａ、第２基地局装置１２ｂ、ＰＡＣ１４、ネットワーク１６を含む。端末装置１０は、所定の無線方式に対応した無線装置である。無線方式として、例えば、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が想定される。ＯＦＤＭＡでは、周波数軸上に複数のサブチャネルが多重化されており、各サブチャネルは、ＯＦＤＭ信号によって構成される。ここで、端末装置１０は、通話機能を有するとともに、データ通信の機能も有する。データ通信とは、例えば、電子メールの送受信やワールド・ワイド・ウエブ（ＷＷＷ）の閲覧、ＶｏＩＰ（Ｖｏｉｃｅ  ｏｖｅｒ  Ｉｎｔｅｒｎｅｔ  Ｐｒｏｔｏｃｏｌ）の実行であり、これらの処理が端末装置１０単独でなされてもよいし、図示しないＰＣとの接続にてなされてもよい。
【００１６】
基地局装置１２は、一端に、無線通信にて端末装置１０と接続し、他端に、有線通信にてＰＡＣ１４と接続する。また、基地局装置１２は、ＰＡＣ１４を介してネットワーク１６に接続する。ここで、第１基地局装置１２ａが移動元基地局装置に相当し、第２基地局装置１２ｂが移動先基地局装置に相当する。なお、第１基地局装置１２ａと第２基地局装置１２ｂ以外にも図示しない基地局装置１２が通信システム１００に含まれる。端末装置１０と第１基地局装置１２ａとが通信中において、いずれか一方からハンドオーバの開始を通知する。端末装置１０と第１基地局装置１２ａとは通信を切断し、端末装置１０は、第２基地局装置１２ｂへ接続を要求する。その後、端末装置１０と第２基地局装置１２ｂとが通信を開始する。ハンドオーバの開始前において、第１基地局装置１２ａは、ＰＡＣ１４からデータを受けつけ、端末装置１０にデータを送信する。また、ハンドオーバの終了後において第２基地局装置１２ｂは、ＰＡＣ１４からデータを受けつけ、端末装置１０にデータを送信する。ハンドオーバの期間を短縮するために、端末装置１０と基地局装置１２とは、所定の処理を実行するが、これについては後述する。
【００１７】
ＰＡＣ１４は、端末装置１０と通信を実行すべき基地局装置１２を制御する。例えば、ＰＡＣ１４は、端末装置１０宛のデータをネットワーク１６から受けつけ、端末装置１０と接続している基地局装置１２へデータを送信する。このような処理を実現するために、ＰＡＣ１４は、端末装置１０が基地局装置１２に接続したときに、基地局装置１２から、端末装置１０の位置登録の要求を受けつけ、端末装置１０に対して位置登録を実行する。また、端末装置１０と接続している基地局装置１２が、第１基地局装置１２ａから第２基地局装置１２ｂへ切りかわった場合に、ＰＡＣ１４は、第２基地局装置１２ｂを介して位置登録を再度実行する。ネットワーク１６は、ＰＡＣ１４と接続するとともに、図示しない通信装置とも接続する。例えば、ネットワーク１６は、ＩＰ（Ｉｎｔｅｒｎｅｔ  Ｐｒｏｔｏｃｏｌ）ネットワークにて構成されるが、それに限定されるものではない。ネットワーク１６は、通信装置から受けつけたデータをＰＡＣ１４へ送信する。
【００１８】
図２（ａ）−（ｃ）は、通信システム１００におけるフレーム構成を示す。図の横方向が時間軸に相当する。フレームは、８つのタイムスロットによって形成されている。また、８つのタイムスロットは、４つの上りタイムスロットと４つの下りタイムスロットから構成されている。ここでは、４つの上りタイムスロットを「第１上りタイムロット」から「第４上りタイムスロット」として示し、４つの下りタイムスロットを「第１下りタイムスロット」から「第４下りタイムスロット」として示す。また、図示したフレームは、連続して繰り返される。なお、フレームの構成は、図２（ａ）に限定されないが、ここでは、説明を明瞭にするために、フレームの構成を図２（ａ）として説明する。また、説明を簡潔にするために、上りタイムスロットと下りタイムスロットのいずれかについてのみ説明を行う場合もあるが、他方のタイムスロットも同様の説明が有効である。
【００１９】
図２（ｂ）は、図２（ａ）のうちのひとつのタイムスロットの構成を示す。図の縦方向が周波数軸に相当する。図示のごとく、ひとつのタイムスロットは、「第１サブチャネル」から「第１６サブチャネル」までの「１６」個のサブチャネルによって形成される。また、これらの複数のサブチャネルは、周波数分割多重されている。各タイムスロットが図２（ｂ）のように構成されているので、タイムスロットとサブチャネルとの組合せによって、バーストが特定される。特定されたバーストが端末装置１０に割り当てられることによって、端末装置１０と基地局装置１２とが通信を実行する。また、図２（ｂ）のうちのひとつのサブチャネルに対応したフレーム構成が図２（ａ）であるとしてもよい。
【００２０】
図２（ｃ）は、図２（ｂ）のうちのひとつのサブチャネルの構成を示す。なお、サブチャネルは、前述のごとく、ＯＦＤＭ信号によって形成されている。図２（ａ）や図２（ｂ）と同様に、図の横方向が時間軸に相当し、図の縦方向が周波数軸に相当する。また、周波数軸に対して、「１」から「２９」の番号を付与しているが、これらは、サブキャリアの番号を示す。このように、サブチャネルは、マルチキャリア信号によって構成されており、特にＯＦＤＭ信号によって構成されている。図中の「ＴＳ」は、トレーニングシンボルに相当し、既知の値によって構成される。また、「ＴＳ」中に制御信号が含まれてもよいものとする。「ＧＳ」は、ガードシンボルに相当し、ここに実質的な信号は配置されない。「ＰＳ」は、パイロットシンボルに相当し、既知の値によって構成される。「ＤＳ」は、データシンボルに相当し、送信すべきデータである。「ＧＴ」は、ガードタイムに相当し、ここに実質的な信号は配置されない。
【００２１】
図３は、通信システム１００におけるサブチャネルの配置を示す。図３では、横軸に周波数軸が示されており、図２（ｂ）に示したタイムスロットに対するスペクトルが示される。ひとつのタイムスロットには、前述のごとく、第１サブチャネルから第１６サブチャネルの１６個のサブチャネルが周波数分割多重されている。前述のごとく、各サブチャネルは、マルチキャリア信号、ここでは、ＯＦＤＭ信号によって構成されている。
【００２２】
図４は、基地局装置１２の構成を示す。基地局装置１２は、無線部２０、インターフェイス部２２、制御部２４、記憶部２６を含む。また、制御部２４は、受付部２８、ハンドオーバ処理部３０を含み、ハンドオーバ処理部３０は、生成部３２を含む。インターフェイス部２２は、図示しないＰＡＣ１４とのインターフェイスである。ここで、インターフェイス部２２は、ＰＡＣ１４より端末装置１０宛のデータを受けつける。また、インターフェイス部２２は、端末装置１０からのデータをＰＡＣ１４へ出力する。
【００２３】
無線部２０は、図示しない端末装置１０との無線通信を実行する。無線部２０と端末装置１０との間における無線通信方式は、任意のものでよいが、前述のごとく、ここではＯＦＤＭＡであるとする。無線部２０が、端末装置１０から接続要求を受けつけると、制御部２４は、端末装置１０に対してバーストを割り当てる。その後、当該無線部２０は、割り当てたバーストにて、端末装置１０との通信を実行する。なお、通信が実行されるまで、認証等のさまざまなステップが実行されるが、ここではそれらの説明を省略する。
【００２４】
受付部２８は、無線部２０を介して、端末装置１０からの情報を受けつける。ここで、情報は、端末装置１０と無線部２０との間で伝送されるデータ以外の制御情報に限定する場合もある。このような情報のひとつは、接続要求であるが、第２基地局装置１２ｂの受付部２８において受けつける接続要求は、ハンドオーバの要求であるともいえる。また、受付部２８は、このようなハンドオーバの要求とともに、端末装置１０がハンドオーバ前に接続していた基地局装置１２に関する基地局情報も受けつける。例えば、第２基地局装置１２ｂの受付部２８は、第１基地局装置１２ａに関する基地局情報を受けつける。一方、第１基地局装置１２ａの受付部２８は、端末装置１０が第１基地局装置１２ａとの前に接続していた基地局装置１２に関する基地局情報を受けつける。受付部２８は、基地局情報をさまざまな端末装置１０から受けつける。
【００２５】
制御部２４は、受付部２８において接続要求を受けつけた端末装置１０に対して、接続処理を実行する。つまり、制御部２４は、当該端末装置１０に対してバーストを割り当てる。また、通信方式としてＯＦＤＭＡが採用される場合、制御部２４は、端末装置１０に対してレンジング処理を実行する。なお、これらの処理には、公知の技術が使用されればよいので、ここでは説明を省略する。ハンドオーバ処理部３０は、受付部２８においてハンドオーバの要求を受けつけた端末装置１０に対して、ハンドオーバ処理を実行する。その際、ハンドオーバ処理部３０は、制御部２４と同様に、バーストの割当、レンジング処理を実行する。
【００２６】
生成部３２は、受付部２８において受けつけた基地局情報をもとに、周辺の基地局装置１２に関する基地局情報のデータベースを生成する。基地局情報には、基地局装置１２の識別番号（以下、「基地局ＩＤ」という）が付与されており、生成部３２は、既に生成したデータベースに含まれる基地局ＩＤを参照し、受けつけた基地局情報の基地局ＩＤがデータベースに含まれているかを確認する。含まれていなければ、生成部３２は、受けつけた基地局情報をデータベースに追加する。一方、含まれていれば、生成部３２は、データベースにおける受付時刻を更新する。また、生成部３２は、定期的にデータベースの内容を確認し、受付時刻が一定期間よりも前の基地局情報をデータベースから削除する。記憶部２６は、端末装置１０に割り当てた通信チャネルに関する情報、生成部３２において生成したデータベースを記憶する。
【００２７】
図５は、記憶部２６に記憶されたデータベースのデータ構造を示す。図示のごとく、データベースには、基地局ＩＤ欄２００、タイムスロット欄２０２、ネットワークアドレス欄２０４、受付時刻欄２０６が含まれている。基地局ＩＤ欄２００には、前述の基地局ＩＤが格納され、受付時刻欄２０６には、前述の受付時刻が格納される。また、タイムスロット欄２０２、ネットワークアドレス欄２０４の内容は、端末装置１０がハンドオーバを実行する際に使用する情報である。ここでは、タイムスロット、ネットワークアドレスを示したが、データベースは、これら以外の情報を含んでもよい。図４に戻る。
【００２８】
その後、無線部２０は、ハンドオーバ処理部３０においてハンドオーバ処理を実行した端末装置１０、つまりバーストを割り当てた端末装置１０との通信を実行する。また、無線部２０は、通信を実行している端末装置１０へ、記憶部２６に記憶したデータベースを送信する。また、インターフェイス部２２は、記憶部５６に記憶したデータベースに含まれた基地局装置１２へ、通信を実行している端末装置１０に関する情報（以下、「端末情報」という）を送信する。端末情報には、例えば、端末装置１０の識別番号（以下、「端末ＩＤ」という）が含まれる。第２基地局装置１２ｂの受付部２８は、インターフェイス部２２を介して、端末情報を受けつける。ハンドオーバ処理部３０は、当該端末装置１０とのハンドオーバ処理の際に、端末情報を利用してもよい。例えば、ハンドオーバ処理部３０は、受けつけた端末ＩＤに対応した端末装置１０に対して、認証処理を省略する。
【００２９】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３０】
図６は、端末装置１０の構成を示す。端末装置１０は、無線部５０、インターフェイス部５２、制御部５４、記憶部５６を含む。また、制御部５４は、生成部５８、受付部６２、ハンドオーバ処理部６４を含むみ、ハンドオーバ処理部６４は、要求部６０を含む。ここでは、端末装置１０が第１基地局装置１２ａと通信しており、第２基地局装置１２ｂへのハンドオーバを実行する際の処理を説明する。インターフェイス部５２は、ユーザからの入力を受けつける。例えば、インターフェイス部５２は、ボタン等によって構成されており、ユーザがボタンを押し下げることによって、ユーザからの指示が入力される。無線部５０は、基地局装置１２との無線通信を実行する。無線部５０は、図４の無線部２０に対応した処理を実行する。
【００３１】
制御部５４は、端末装置１０の動作を制御する。生成部５８は、無線部５０が第１基地局装置１２ａとの通信を実行している際に、第１基地局装置１２ａに関する基地局情報を生成する。基地局情報の内容は、図５に示されているとおりなので、ここでは説明を省略する。また、受付部６２は、無線部５０が第１基地局装置１２ａとの通信を実行している際に、第１基地局装置１２ａから、第１基地局装置１２ａのおいて生成されたデータベースを受けつける。記憶部５６は、受けつけたデータベースを記憶する。
【００３２】
ハンドオーバ処理部６４は、第１基地局装置１２ａと無線部５０との通信状態を監視しており、通信状態が悪化してきたときに、ハンドオーバの実行を決定する。通信状態の悪化は、例えば、受信電力がしきい値よりも低くなったときや、誤り率がしきい値よりも高くなったときに検出されるが、これについては、公知の技術が使用されればよい。また、ハンドオーバ処理部６４は、ハンドオーバ先として、第２基地局装置１２ｂを選択する。この選択についても、公知の技術が使用されればよい。要求部６０は、無線部５０を介して、第２基地局装置１２ｂへハンドオーバ要求を送信する。
【００３３】
ハンドオーバ要求の送信後、ハンドオーバ処理部６４は、無線部５０を介して、第２基地局装置１２ｂとのハンドオーバ処理を実行する。その際、ハンドオーバ処理部６４は、記憶部５６に記憶したデータベースに含まれた基地局情報を使用する。具体的に説明すると、ハンドオーバ処理部６４は、データベースのうち、第２基地局装置１２ｂに対応した基地局情報を抽出する。また、ハンドオーバ処理部６４は、タイムスロット情報をもとに、第２基地局装置１２ｂにて使用されているタイムスロットを特定するとともに、ネットワークアドレスをもとに、ネットワークアドレスを設定する。さらに、要求部６０は、ハンドオーバ要求とともに、無線部５０を介して、生成部５８において生成した第１基地局装置１２ａに関する基地局情報を第２基地局装置１２ｂへ送信する。その後、無線部５０は、第２基地局装置１２ｂとの通信を実行する。
【００３４】
以上の構成による通信システム１００の動作を説明する。図７は、通信システム１００によるハンドオーバ手順を示すシーケンス図である。端末装置１０と第１基地局装置１２ａとは、通信を実行する（Ｓ１０）。端末装置１０は、第１基地局装置１２ａへ基地局情報を送信する（Ｓ１２）。基地局情報は、端末装置１０が第１基地局装置１２ａの前に接続していた基地局装置１２に関する情報である。端末装置１０は、第１基地局装置１２ａに対する基地局情報を生成し（Ｓ１４）、第１基地局装置１２ａは、基地局情報をもとにデータベースを更新する（Ｓ１６）。第１基地局装置１２ａは、端末装置１０へデータベースを送信する（Ｓ１８）とともに、第２基地局装置１２ｂを含んだ周囲の基地局装置１２へ端末情報を送信する（Ｓ２０）。
【００３５】
端末装置１０は、第２基地局装置１２ｂへのハンドオーバを決定する（Ｓ２２）。端末装置１０は、第２基地局装置１２ｂへハンドオーバ要求を送信する（Ｓ２４）。端末装置１０と第２基地局装置１２ｂとは、ハンドオーバ処理を実行し（Ｓ２６）、端末装置１０と第２基地局装置１２ｂとは、通信を実行する（Ｓ２８）。端末装置１０は、ステップ１４にて生成した基地局情報を第２基地局装置１２ｂへ送信する（Ｓ３０）。端末装置１０は、第２基地局装置１２ｂに対する基地局情報を生成し（Ｓ３２）、第２基地局装置１２ｂは、基地局情報をもとにデータベースを更新する（Ｓ３４）。第２基地局装置１２ｂは、端末装置１０へデータベースを送信する（Ｓ３６）。
【００３６】
図８は、基地局装置１２によるデータベースの更新手順を示すフローチャートである。無線部２０は、パケット信号を受信し（Ｓ５０のＹ）、それが移動元の基地局情報であれば（Ｓ５２のＹ）、生成部３２は、当該基地局情報がデータベースに登録されているかを確認する（Ｓ５４）。登録されていれば（Ｓ５４のＹ）、生成部３２は、受付時刻を更新する（Ｓ５６）。登録されていなければ（Ｓ５４のＮ）、生成部３２は、基地局情報をデータベースへ登録する（Ｓ５８）。また、生成部３２は、タイマーをセットする（Ｓ６０）。パケット信号を受信しない場合（Ｓ５０のＮ）、あるいは受信したパケット信号が移動元の基地局情報でない場合（Ｓ５２のＮ）、処理は終了される。
【００３７】
図９は、基地局装置１２によるデータベースの別の更新手順を示すフローチャートである。図９の処理は、図８の処理において生成されたデータベースのうち、ある程度古くなった情報を削除するための処理に相当する。タイマー通知があれば（Ｓ１００のＹ）、生成部３２は、記憶部２６へアクセスし、データベースの中から、有効期限の切れた情報を探索する（Ｓ１０２）。生成部３２は、有効期限の切れた情報をデータベースから削除する（Ｓ１０４）。タイマー通知がなければ（Ｓ１００のＮ）、処理は終了される。
【００３８】
本発明の実施例によれば、ハンドオーバ元の基地局装置に関する情報を端末装置から受けつけるので、計画的に基地局装置が設置されない場合であっても、周辺の基地局装置に関するデータベースを生成できる。また、周辺の基地局装置に関する情報のデータベースを生成するので、基地局装置を計画的に設置しない場合でも周囲の基地局装置を認識できる。また、データベースを端末装置に送信するので、ハンドオーバ処理の際に、周辺の基地局装置に関する情報を端末装置に使用させることができる。また、ハンドオーバ処理の際に、周辺の基地局装置に関する情報を端末装置に使用させるので、ハンドオーバ処理に要する期間を短縮できる。また、ハンドオーバ処理に要する期間が短縮されるので、ユーザの利便性を向上できる。また、データベースを端末装置へ送信するので、端末装置がハンドオーバする可能性のある基地局装置に関する基地局情報を端末装置に知らせることができる。また、ハンドオーバ元の基地局装置に関する情報をハンドオーバ先の基地局装置へ送信するので、ハンドオーバ先の基地局装置にデータベースを生成させることができる。
【００３９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４０】
本発明の実施例において、基地局装置１２の無線部２０と端末装置１０の無線部５０との間における無線方式は、ＯＦＤＭＡであるとしている。しかしながらこれに限らず例えば、無線方式が、ＯＦＤＭＡ以外のものであってもよい。その場合、端末装置１０と基地局装置１２との間におけるレンジング処理が省略される。本変形例によれば、さまざまな無線方式に本発明を適用できる。
【００４１】
本発明の実施例において、複数の基地局装置１２に接続された機器がＰＡＣ１４であるとしている。しかしながらこれに限らず例えば、ＰＡＣ１４の代わりに、通信キャリアのゲートウエイであってもよく、通信キャリアのルートを決める中継サーバであってもよい。本変形例によれば、本発明をさまざまな機器に適用できる。
【図面の簡単な説明】
【００４２】
【図１】本発明の実施例に係る通信システムの構成を示す図である。
【図２（ａ）】図１の通信システムにおけるフレーム構成を示す図である。
【図２（ｂ）】図１の通信システムにおけるフレーム構成を示す図である。
【図２（ｃ）】図１の通信システムにおけるフレーム構成を示す図である。
【図３】図１の通信システムにおけるサブチャネルの配置を示す図である。
【図４】図１の基地局装置の構成を示す図である。
【図５】図４の記憶部に記憶されたデータベースのデータ構造を示す図である。
【図６】図１の端末装置の構成を示す図である。
【図７】図１の通信システムによるハンドオーバ手順を示すシーケンス図である。
【図８】図４の基地局装置によるデータベースの更新手順を示すフローチャートである。
【図９】図４の基地局装置によるデータベースの別の更新手順を示すフローチャートである。
【符号の説明】
【００４３】
１０  端末装置、  １２  基地局装置、  １４  ＰＡＣ、  １６  ネットワーク、  ２０  無線部、  ２２  インターフェイス部、  ２４  制御部、  ２６  記憶部、  ２８  受付部、  ３０  ハンドオーバ処理部、  ３２  生成部、  ５０  無線部、  ５２  インターフェイス部、  ５４  制御部、  ５６  記憶部、  ５８  生成部、  ６０  要求部、  ６２  受付部、  ６４  ハンドオーバ処理部、  １００  通信システム。
【図１】
2009152677.tif 000003
【図２（ａ）】
2009152677.tif 000004
【図２（ｂ）】
2009152677.tif 000005
【図２（ｃ）】
2009152677.tif 000006
【図３】
2009152677.tif 000007
【図４】
2009152677.tif 000008
【図５】
2009152677.tif 000009
【図６】
2009152677.tif 000010
【図７】
2009152677.tif 000011
【図８】
2009152677.tif 000012
【図９】
2009152677.tif 000013